(57)【要約】【課題】別途スペースを設けることなく光量調節部材を移動可能なレンズ鏡筒及びカメラを提供する。【解決手段】本発明は、撮影状態と、該撮影状態よりも短い収納状態との間で鏡筒長が可変なレンズ鏡筒（１，５０１）において、第１のレンズ（Ｌ２）と、前記撮影状態において前記第１のレンズ（Ｌ２）と第１の距離離間し、前記収納状態において前記第１のレンズ（Ｌ２）と前記第１の距離よりも近接する第２のレンズ（Ｌ３）と、マグネット（３０５，８０５）を有し、前記第１のレンズ（Ｌ２）を移動してブレ補正を行う防振ユニット（３００，５００）と、前記第１のレンズ（Ｌ２）と前記第２のレンズ（Ｌ３）との間に配置されるととともに、前記撮影状態において光路に進入して該光路を通過する光量を制限し、前記撮影状態から前記収納状態に移動する際に前記マグネット（３０５，８０５）の磁力により前記光路から退避するように移動される光量制限部材（２０１，７０１ａ）と、を備えること、を特徴とする。【選択図】図４
2010217314.tif 000002
【特許請求の範囲】
【請求項１】
撮影状態と、該撮影状態よりも短い収納状態との間で鏡筒長が可変なレンズ鏡筒において、
第１のレンズと、
前記撮影状態において前記第１のレンズと第１の距離離間し、前記収納状態において前記第１のレンズと前記第１の距離よりも近接する第２のレンズと、
マグネットを有し、前記第１のレンズを移動してブレ補正を行う防振ユニットと、
前記第１のレンズと前記第２のレンズとの間に配置されるとともに、前記撮影状態において光路に進入して該光路を通過する光量を制限し、前記撮影状態から前記収納状態に移動する際に前記マグネットの磁力により前記光路から退避するように移動される光量制限部材と、を備えること、
を特徴とするレンズ鏡筒。
【請求項２】
請求項１に記載のレンズ鏡筒であって、
前記光量制限部材は、前記レンズ鏡筒が前記撮影状態から前記収納状態に移動する際に、前記マグネットが近づくことにより軸を中心として回転する回転部材を備えること、
を特徴とするレンズ鏡筒。
【請求項３】
請求項２に記載のレンズ鏡筒であって、
前記回転部材は、磁性体で製造されていること、
を特徴とするレンズ鏡筒。
【請求項４】
請求項２に記載のレンズ鏡筒であって、
前記回転部材は、磁石で製造されていること、
を特徴とするレンズ鏡筒。
【請求項５】
請求項１から４のいずれか１項に記載のレンズ鏡筒であって、
前記光量制限部材は、絞り部材であること、
を特徴とするレンズ鏡筒。
【請求項６】
請求項１から４のいずれか１項に記載のレンズ鏡筒であって、
前記光量制限部材は、シャッタ部材であること、
を特徴とするレンズ鏡筒。
【請求項７】
請求項１から５のいずれか１項に記載のレンズ鏡筒を備えるカメラ。
【発明の詳細な説明】
【技術分野】
【０００１】
本発明は、鏡筒長が伸縮可能なレンズ鏡筒及びカメラに関するものである。
【背景技術】
【０００２】
繰り出し式のレンズ鏡筒を有するカメラにおいては、携帯性の面から、収納時のレンズ鏡筒長を短くすることが好ましい。一方、複数のレンズを有するレンズ鏡筒において、レンズ間にレンズシャッタや絞り等の光量調節部材が設けられているものがある。このようなレンズ鏡筒においては、レンズ鏡筒を収納する際に、その光量調節部材の口径を撮影時よりも広げ、光量調節部材の前後に存在するレンズ間の距離をさらに短縮可能としているものがある。従来、この光量調節部材の口径を広げるために、鏡筒長が短縮する際に光量調節部材と当接して光量調節部材を移動させる部材が設けられているカメラがある（例えば、特許文献１参照）。
【先行技術文献】
【特許文献】
【０００３】
【特許文献１】特開２００４−３４７６１５号公報
【発明の概要】
【発明が解決しようとする課題】
【０００４】
しかし、光量調節部材の口径を広げるための部材を別途設ける場合、そのためのスペースが必要である。
【０００５】
本発明は、別途スペースを設けることなく光量調節部材を移動可能なレンズ鏡筒及びカメラを提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、撮影状態と、該撮影状態よりも短い収納状態との間で鏡筒長が可変なレンズ鏡筒（１，５０１）において、第１のレンズ（Ｌ２）と、前記撮影状態において前記第１のレンズ（Ｌ２）と第１の距離離間し、前記収納状態において前記第１のレンズ（Ｌ２）と前記第１の距離よりも近接する第２のレンズ（Ｌ３）と、マグネット（３０５，８０５）を有し、前記第１のレンズ（Ｌ２）を移動してブレ補正を行う防振ユニット（３００，５００）と、前記第１のレンズ（Ｌ２）と前記第２のレンズ（Ｌ３）との間に配置されるととともに、前記撮影状態において光路に進入して該光路を通過する光量を制限し、前記撮影状態から前記収納状態に移動する際に前記マグネット（３０５，８０５）の磁力により前記光路から退避するように移動される光量制限部材（２０１，７０１ａ）と、を備えること、を特徴とするレンズ鏡筒（１，５０１）である。
請求項２に記載の発明は、請求項１に記載のレンズ鏡筒（１，５０１）であって、前記光量制限部材（２０１，７０１ａ）は、前記レンズ鏡筒（１，５０１）が前記撮影状態から前記収納状態に移動する際に、前記マグネット（３０５，８０５）が近づくことにより軸（２０４ａ，７０４ａ）を中心として回転する回転部材（２０４，７０４）を備えること、を特徴とするレンズ鏡筒（１，５０１）である。
請求項３に記載の発明は、請求項２に記載のレンズ鏡筒（５０１）であって、前記回転部材（７０４）は、磁性体で製造されていること、を特徴とするレンズ鏡筒（５０１）である。
請求項４に記載の発明は、請求項２に記載のレンズ鏡筒（１）であって、前記回転部材（２０４）は、磁石で製造されていること、を特徴とするレンズ鏡筒（１）である。
請求項５に記載の発明は、請求項１から４のいずれか１項に記載のレンズ鏡筒（１）であって、前記光量制限部材は、絞り部材（２０１）であること、を特徴とするレンズ鏡筒（１）である。
請求項６に記載の発明は、請求項１から４のいずれか１項に記載のレンズ鏡筒（５０１）であって、前記光量制限部材は、シャッタ部材（７０１ａ）であること、を特徴とするレンズ鏡筒（５０１）である。
請求項７に記載の発明は、請求項１から５のいずれか１項に記載のレンズ鏡筒（１，５０１）を備えるカメラ（１０，５１０）である。
なお、符号を付して説明した構成は、適宜改良してもよく、また、少なくとも一部を他の構成物に代替してもよい。
【発明の効果】
【０００８】
本発明によれば、別途スペースを設けることなく光量調節部材を移動可能なレンズ鏡筒及びカメラを提供することができる。
【図面の簡単な説明】
【０００９】
【図１】第１実施形態のレンズ鏡筒の撮影時における断面図である。
【図２】第１実施形態のレンズ鏡筒の収納時における断面図である。
【図３】絞り部材の移動の様子を示す図であり、（ａ）はレンズ鏡筒が撮影時の状態、（ｂ）はレンズ鏡筒が収納時の状態である。
【図４】絞りユニットの移動軸の移動の様子を示す図であり、（ａ）は撮影時の状態、（ｂ）は収納時の状態である。
【図５】第２実施形態のレンズ鏡筒の撮影時における断面図である。
【図６】第２実施形態のレンズ鏡筒の収納時における断面図である。
【図７】シャッタ羽根の移動の様子を示す図であり、（ａ）はレンズ鏡筒が撮影時の状態、（ｂ）はレンズ鏡筒が収納時の状態、（ｃ）はレリーズの際のシャッタ羽根が閉じた状態を示す。
【図８】シャッタユニットの移動軸の移動の様子を示す図であり、（ａ）は撮影時の状態、（ｂ）は収納時の状態である。
【発明を実施するための形態】
【００１０】
（第１実施形態）
以下、図面等を参照して、本発明の第１実施形態について説明する。なお、以下に示す各図には、説明と理解を容易にするために、ＸＹＺ直交座標系を設けた。この座標系では、撮影者が光軸Ａを水平として横長の画像を撮影する場合のカメラの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
【００１１】
図１は、本発明の第１実施形態のレンズ鏡筒１の断面図である。このレンズ鏡筒１は、例えばレンズ非交換式のデジタルスチルカメラ１０の撮影用レンズ鏡筒として用いられる沈胴式のレンズ鏡筒１である。図１は、レンズ鏡筒１の撮影時（使用時）における状態を示す。図２は、レンズ鏡筒１の収納時（沈胴時）における状態を示す断面図である。
【００１２】
レンズ鏡筒１は、撮像光学系として、第１レンズ群Ｌ１、第２レンズ群（防振(ＶＲ)レンズ群）Ｌ２、第３レンズ群Ｌ３、第４レンズ群Ｌ４、ローパスフィルタ（ＬＰＦ）１０、撮像素子３０を備える。また、レンズ鏡筒１は、第１群筒１１０、カム筒１２０、固定筒１３０、撮像素子固定部材１５０、絞りユニット２００、ＶＲユニット３００を備えている。
【００１３】
第１レンズ群Ｌ１は、対物レンズ群であって、第１レンズ群保持枠１１１を介して第１群筒１１０の対物側の先端部に固定されている。ＶＲレンズ群Ｌ２は、第１レンズ群Ｌ１の射出側に配置され、ＶＲユニット３００によって光軸Ｉと直交する方向に変位（シフト）し、結像面における像ブレを低減するものである。第３レンズ群Ｌ３は、ＶＲレンズ群Ｌ２の射出側に設けられ、第３レンズ群保持枠１４０によって光軸Ｉ方向に移動可能に支持されている。第４レンズ群Ｌ４は、第３レンズ群Ｌ３の射出側に設けられ、第４レンズ群保持枠１３５によって光軸Ｉ方向に移動可能に支持されている。
【００１４】
ＬＰＦ２０は、第４レンズ群Ｌ４の射出側に設けられ、撮像素子３０の出力画像における偽色の発生等を防止する光学式のローパスフィルタである。撮像素子３０は、ＬＰＦ２０の像側に配置され、例えばＣＣＤ、ＣＭＯＳ等の光−電気変換素子を備え、その撮像面に結像される被写体像を取得するものである。撮像素子３０は、パッケージ状に形成されて固定板１５１に取り付けられ、その固定板１５１は撮像素子固定部材１５０に固定されている。
【００１５】
第１群筒１１０は、レンズ鏡筒１の鏡胴を構成する部材のうち撮影時に最も対物側に繰り出される筒体であって、第１レンズ群保持枠１１１と、レンズバリア１１２とを備えている。第１群筒１１０は、外周面部にカム筒１２０の内周面のカム溝に挿入される突起状のカムフォロワピン１１３を備え、後述する直進ガイド部材１２１によって光軸方向に平行移動可能に支持されている。第１レンズ群保持枠１１１は、その内径側に第１レンズ群Ｌ１が固定される枠体であって、第１群筒１１０の対物側の先端部に固定されている。レンズバリア１１２は、第１群筒１１０の対物側の端面部に備えられ、レンズ鏡筒１の収納時に第１レンズ群Ｌ１の対物側の面をカバーする遮蔽部材を備えている。
【００１６】
カム筒１２０は、固定筒１３０の内径側に挿入され、固定筒１３０に対して光軸回りに回転可能でありかつ光軸方向に移動可能に支持される。また、その内径側に第１群筒１１０が挿入される筒体であって、内周側に設けられた直進ガイド部材１２１、外周側に設けられた雄ヘリコイド１２２を備える。
【００１７】
雄ヘリコイド１２２には、ヘリコイドとともにギア歯形状が形成されており、図示しないズームモータの回転がギア歯に伝達されて、雄ヘリコイド１２２によりカム筒１２０が回転するようになっている。雄ヘリコイド１２２は、光軸方向に移動するとともに、第１群筒１１０及びＶＲユニット３００をカム筒１２０に対して光軸方向に移動させるものである。
【００１８】
ＶＲレンズ群Ｌ２は、ＶＲレンズ群保持枠１２３に固定されて、そのＶＲレンズ群保持枠１２３は、ＶＲ群筒１２４によって保持されている。ＶＲ群筒１２４は、外周面部にカム筒１２０の内周面部のカム溝に挿入される突起状のカムフォロワピン１２５を備えている。また、カム筒１２０は、第１群筒１１０のカムフォロワピン１１３及びＶＲユニット３００のカムフォロワピン１２５が挿入されるカム溝がその内周面部に形成されている。
【００１９】
直進ガイド部材１２１は、カム筒１２０の内径側に配置され、第１群筒１１０及び後述するＶＲレンズ群保持枠１２３を、固定筒１３０に対して光軸回りに回転しないように直進案内する。
【００２０】
固定筒１３０は、カメラ１０のカメラボディに固定された筒体である。第３レンズ群保持枠１４０は、その外周部にカムフォロアピン１４２を備える。カムフォロアピン１４２は、カム筒１２０に形成されたカム溝に挿入され、カム筒１２０の回転により光軸方向に移動する。撮像素子固定部材１５０は、固定筒１３０の光軸Ｉ方向像側の端部に備えられ、ＬＰＦ２０、撮像素子３０を含むパッケージが固定されるものである。
【００２１】
絞りユニット２００は、絞り部材２０１と、絞り部材２０１を保持するユニット本体２０２とを備える。絞り部材２０１は、撮影時と収納時において光軸Ｉと垂直方向に移動する。図３は絞り部材２０１の移動の様子を示す図であり、（ａ）はレンズ鏡筒１が撮影時の状態、（ｂ）はレンズ鏡筒１が収納時の状態である。図示するように、ユニット本体２０２は、円形の本体開口２０２ａを備える。また、絞り部材２０１は、ユニット本体２０２の本体開口２０２ａより小さい円形の絞り開口２０１ａが設けられた円板部材において、その径方向の一部が湾曲して延びた腕部２０８を有する板状部材である。腕部２０８の端部には第１の穴２０９が設けられ、また第１の穴２０９よりも絞り開口２０１ａの中心よりでの部分には、第２の穴（長穴）２１０が設けられている。
【００２２】
絞りユニット２００は、図４に示すように、回転用マグネット２０４と、回転用マグネット２０４の中心軸２０４ａと、回転用マグネット２０４から延びるアーム部２０５と、アーム部２０５の先端から光軸Ｉに沿って延びる移動軸２０６とを備える。図４は絞りユニット２００の移動軸２０６の移動の様子を示す図であり、（ａ）は撮影時の状態、（ｂ）は収納時の状態である。回転用マグネット２０４は、時計回りにバネ付勢され、撮影状態において図４（ａ）に示す位置に保持され、収納時よりもＮ極が本体開口２０２ａの中心側を向いている。また、後述するが、レンズ鏡筒が収納するに従い、回転用マグネット２０４は図４（ａ）の状態から磁力によって付勢力に抗して反時計回りに回転し、Ｎ極が撮影時よりもＸマイナス側を向いた図４（ｂ）の状態に移動する。
【００２３】
また、図３に戻り、絞り部材２０１の中心軸２０４ａは絞り部材２０１の第１の穴２０９に挿入され、移動軸２０６は、絞り部材２０１の第２の穴２１０に挿入されている。レンズ鏡筒１の収納状態への移動に伴い、回転用マグネット２０４は図４（ａ）の状態から反時計回りに回転して図４（ｂ）の状態に移動する。したがって、撮影時において、図３（ａ）に示すように本体開口２０２ａと絞り開口２０１ａとが光軸方向において重なるようにして配置されていた絞り部材２０１は、収納時への移動に伴い、図３（ｂ）に示すように絞り開口２０１ａが本体開口２０２ａから退避するように移動する。
【００２４】
図１及び２に示すように、絞りユニット２００は、ガイドバー２１１、バネ２１２を備える。ガイドバー２１１は、光軸Ｉと平行に延在し、絞りユニット２００を光軸Ｉ方向に平行移動可能に支持するものである。ガイドバー２１１の光軸方向像側の端部は第３レンズ群保持枠１４０に固定され、光軸Ｉ方向対物側の端部は、絞り本体２０２から突き出し、突き出した部分には、絞りユニット２００の移動範囲を規制するストッパリング２１３がはめ込まれている。
【００２５】
絞り本体２０２は、バネ２１２により、第３レンズ群Ｌ３を保持する第３レンズ群保持枠１４０に対して、前方に付勢されている。収納時には、第２レンズ群筒１２４が絞り本体２０２に当接して光軸方向像側に押されることによりバネ２１２が縮み、絞り本体２０２は像側に移動する。
【００２６】
絞り部材２０１は、撮影時において絞り開口２０１ａが本体開口２０２ａと同軸になるように位置している。したがって撮影時の光路の最大開口は、図３（ａ）に示すように絞り開口２０１ａの開口径に制限されており、これにより撮影性能が維持されている。また、この絞り部材２０１は収納状態において、図３（ｂ）に示すように、本体開口２０２ａに重ならないように退避するので、収納時の開口径は、撮影時の開口径よりも広い本体開口２０２ａの大きさとなる。
【００２７】
図１及び図２に示すように、本体開口２０２ａは第３レンズ群保持枠１４０のレンズ保持部の外形より大きい。そして、収納状態において絞り部材２０１は本体開口２０２ａから退避する。したがって、この状態において、図２に示すように、絞りユニット２００は第３レンズ群保持枠１４０のレンズ保持部の外周側に入り込むことが可能となり、絞りユニット２００及び第３レンズ群Ｌ３を含む部分は、光軸方向において距離が短縮可能となる。
【００２８】
ＶＲユニット３００は、ＶＲレンズ群Ｌ２を光軸Ｉと直交する方向に変位させることによって、レンズ鏡筒１の振動に起因する被写体像の像ブレを低減するものである。ＶＲユニット３００は、ＶＲレンズ群Ｌ２の位置を検出する位置検出センサ３０１を備える。位置検出センサ３０１は、ＶＲレンズ群保持枠に固定された磁石３０２の磁界をホール素子３０３で検出することによりＶＲレンズ群の位置を検出するものである。
【００２９】
またブレ補正ユニット３００は、ブレ補正用アクチュエータ３０４を備える。ブレ補正用アクチュエータ３０４は、ＶＲ用マグネット３０５と、ブレ補正用コイル３０６とを備え、ブレ補正用コイル３０６への通電を制御することでＶＲレンズ群Ｌ２を光軸と垂直な方向へとシフト移動させるものである。ＶＲ用マグネット３０５は、図４に点線で示すように、矩形の磁石で、Ｎ極が本体開口２０２ａの中心軸側に位置するように配置されている。
【００３０】
以下、上述したレンズ鏡筒１が図１に示す撮影状態から図２に示す収納状態へ移動する際の絞りユニット２００の動作について説明する。まず、図１の撮影状態において、絞りユニット２００とブレ補正ユニット３００とは、所定距離離間している。絞りユニット２００は、バネ２１２によって、第３レンズ群保持枠１４０に対して被写体側へ付勢されている。すなわち、撮影状態において絞りユニット２００は、ガイドバー止めリング２１３に当てつく位置に保持されている。
【００３１】
また、回転用マグネット２０４は、図４（ａ）に示すように、そのＮ極が本体開口２０２ａの中心を向く位置に保持されている。絞り部材２０１は、図３（ａ）に示すように、第１の穴２０９、第２の穴２１０の位置関係により、絞り開口２０１ａが本体開口２０２ａと重なるように保持されている。これにより、被写体光が通過する光路は、本体開口２０２ａより小さい絞り開口２０１ａの大きさとなっている。この状態においては、図４（ａ）に示すように、ＶＲ用マグネット３０５のＮ極と、回転用マグネット２０４のＮ極とは、光軸方向においてかなりの部分が重なっている。
【００３２】
撮影状態から収納状態へ移動する際、カム筒１２０が雄ヘリコイド１２２に設けられたギアによって光軸Ｉ回りに回転駆動されると、第１群筒１１０、ＶＲユニット３００は、各カム機構によってそれぞれ光軸Ｉ方向の像側に移動する。
【００３３】
ＶＲユニット３００が像側に移動すると、ＶＲ用マグネット３０５が回転用マグネット２０４に近づいてくる。この際、図４（ａ）に示すように、ＶＲ用マグネット３０５のＮ極と回転用マグネット２０４のＮ極、ＶＲ用マグネット３０５のＳ極と回転用マグネット２０４のＳ極との重なる部分が多いため、回転用マグネット２０４には反発力が加わる。この反発力により回転用マグネット２０４は付勢力に抗して半時計周りに回転し、図４（ｂ）の状態となる。
【００３４】
この回転用マグネット２０４の回転により、アーム部２０５も中心軸２０４ａを中心として回転する。これにより絞り部材２０１も反時計回りに回転する。すなわち、絞り部材２０１は、図３（ａ）に示す絞り開口２０１ａと本体開口２０２ａとが同軸である状態から、図３（ｂ）示すように絞り開口２０１ａが本体開口２０２ａからずれるように移動して絞り部材２０１は開口２０７から退避する。
【００３５】
レンズ鏡筒１が撮影状態から収納状態に移行する際に、ＶＲ群筒１２４はユニット本体２０２に近づいて当接し、さらにユニット本体２０２を押圧する。この際、絞り部材２０１は開口２０７から退避しているので、絞り部材２０１は第３レンズ群保持枠１４０と衝突することなく、第３レンズ群保持枠１４０の被写体側端部よりもさらに像側に移動することができる。これにより、第２レンズ群Ｌ２、ＶＲユニット３００が像側に移動することができ、レンズ鏡筒１の鏡筒長の短縮が可能となる。
【００３６】
以上、本実施形態によると、以下の効果を有する。
（１）絞り部材２０１の移動を、ＶＲユニット３００のＶＲ用マグネット３０５を利用して行う。したがって絞り部材２０１の移動用の部材を別途設ける必要がない。このため、部品点数を追加することなく、絞り部材２０１を、本体開口２０２ａから退避させた状態に保持することができる。
（２）絞り部材２０１の移動に電気的な駆動力を使用しないので、電気供給機構を備える必要もない。
（３）絞り部材２０１の移動が、ＶＲレンズ群Ｌ２と第３レンズ群Ｌ３との相対距離が変化することにより自動的に行われるため、制御が容易である。
【００３７】
（第２実施形態）
次に、本発明の第２実施形態について説明する。図５は、第２実施形態のレンズ鏡筒５０１の撮影時における断面図である。図６は、レンズ鏡筒５０１の収納時における断面図である。なお、第２実施形態と第１実施形態と同一又は類似の部分の説明は省略する。第２実施形態が第１実施形態と異なる主要な部分は、第２実施形態においては絞り部材ではなくシャッタユニット７００に本発明を適用している点である。
【００３８】
シャッタユニット７００は、２枚のシャッタ羽根７０１ａと、シャッタ羽根７０１ａを保持するユニット本体７０２とを備える。図７はシャッタ羽根７０１ａの移動の様子を示す図であり、（ａ）はレンズ鏡筒５０１が撮影時の状態、（ｂ）はレンズ鏡筒５０１が収納時の状態、（ｃ）はレリーズの際のシャッタ羽根７０１ａが閉じた状態を示す。
【００３９】
図８はシャッタユニット７００を移動させる移動軸７０６の移動の様子を示す図であり、（ａ）は撮影時の状態、（ｂ）は収納時の状態である。
【００４０】
図７及び図８に示すように、ユニット本体７０２は、円形の本体開口７０２ａを備える。シャッタ羽根７０１ａは、互いに相似形の２枚の板状部からなる。シャッタ羽根７０１ａの一端には、第１の穴７０９が設けられ、また第１の穴２０９と異なる部分には、第２の穴（長穴）７１０が設けられている。
【００４１】
シャッタユニット７００は、さらに、ヨーク７０３と、ヨーク７０３の開口に配置された回転部材７０４と、回転部材７０４の回転中心軸７０４ａと、回転部材７０４から延びるアーム部７０５と、アーム部７０５の先端から光軸Ｉに沿って延びる移動軸７０６とを備える。なお、シャッタユニット７００は、図８に示すように一方のシャッタ羽根７０１ａを駆動させるための一つのヨーク７０３等によって駆動してもよく、また他方のシャッタ羽根７０１ａを駆動させるためにもう一つのヨーク等を備えていてもよい。
【００４２】
回転部材７０４は、時計回りに付勢され、撮影状態において図８（ａ）に示す、アーム部７０５の移動軸７０６が回転中心軸７０４ａよりもやや本体開口７０２ａの中心方向を向いた位置に保持されている。
【００４３】
また、図７に示すように、回転中心軸７０４ａにはシャッタ羽根７０１ａの第１の穴７０９が挿入され、移動軸７０６には、シャッタ羽根７０１ａの第７の穴７１０が挿入されている。このため、撮影時においては、図７（ａ）に示すように、２つのシャッタ羽根７０１ａのそれぞれの一辺は本体開口７０２ａの内部に保持されている。
【００４４】
カメラの撮影状態では、図７（ａ）に示す撮影待機状態で、レリーズボタンを押すことによって、ＣＣＤにて露光開始し、適性露光になった時点で、シャッタ駆動コイル２０３ａに通電される。通電によって発生した磁界がヨーク７０３に伝わり、この磁界と回転部材７０４の磁石ＮＳとの引張反発力によって回転中心軸７０４ａを中心に移動軸７０６が回転。この回転によって移動軸７０６が穴７１０を押して動き、移動軸７０９を回転中心として羽根が動き図７（ｃ）の状態になる。なお、カメラ撮影状態ではシャッタユニット７００とＶＲユニット５００の距離が離れているため、ＶＲマグネットのシャッタ作動への影響はない。
【００４５】
レンズ鏡筒５０１が収納状態に移動していきＶＲ用マグネット８０５が移動軸７０６に近づくと、図７（ｂ）に示すように、ＶＲ用マグネット８０５の磁力によって移動軸７０６が引き付けられ、図８（ａ）の状態から反時計回りに回転して図８（ｂ）の状態に移動する。これにより、２つのシャッタ羽根７０１ａがそれぞれ本体開口７０２ａから退避するように（本体開口７０２ａを開くように）移動する。
【００４６】
ブレ補正ユニット３００は、第１実施形態と同様の構造を有する。第１実施形態と異なる点は、図４と図８を比較すると分かるように、ＶＲ用マグネット８０５が第１実施形態のＶＲ用マグネット３０５よりもやや外径よりに設けられている点である。また、第２実施形態では、同極の反発力を利用せずに、マグネットが磁性体を引き付ける力を利用するので、ＶＲ用マグネット８０５のＮ極やＳ極の位置はいずれであってもよい。図８（ａ）の撮影状態では、移動軸７０６はＶＲ用マグネット８０５と光軸方向で重ならない位置にある。一方、図８（ｂ）の収納状態では、移動軸７０６はＶＲ用マグネット８０５に引き寄せられて光軸方向で重なる位置に移動する。
【００４７】
以下、上述したレンズ鏡筒５０１が図５に示す撮影状態から図６に示す収納状態へ移動する際のシャッタユニット７００の動作について説明する。まず、撮影状態において、シャッタユニット７００とブレ補正ユニット８００とは、図５に示すように所定距離離間している。
【００４８】
また、回転部材７０４は、図８（ａ）に示す位置に保持されている。シャッタ部材７０８は、図７（ａ）に示すように、第１の穴７０９、第７の穴７１０の位置関係により、シャッタ羽根７０１ａのエッジ部分が本体開口７０２ａを狭めている。これにより、被写体光が通過する光路断面は、本体開口７０２ａより小さくなっている。
【００４９】
撮影状態から収納状態へ移動する際、ＶＲ用マグネット８０５が回転部材７０４に近づいてくる。このとき、図８（ｂ）に示すように、ＶＲ用マグネット８０５の磁力によって移動軸７０６が引き寄せられ、回転部材７０４は付勢力に抗して半時計周りに回転する。
【００５０】
移動軸７０６が中心軸７０４ａを中心として回転するため、シャッタ羽根７０１ａは図７（ａ）に示す状態から図７（ｂ）に示す状態に移動する。すなわち、本体開口７０２ａからシャッタ羽根７０１ａは退避する。
【００５１】
したがって、第２実施形態においても第１実施形態と同様に、ＶＲレンズ群保持枠１２３がユニット本体７０２に近づいて当接し、さらにユニット本体７０２を押圧していく際に、シャッタ羽根７０１ａは本体開口７０２ａから退避しているので、第３レンズ群保持枠１４０と衝突しない。ゆえにシャッタ羽根７０１ａも第３レンズ群保持枠１４０の被写体側端部よりもさらに像側に移動することができる。これにより第２レンズ群Ｌ２、ＶＲユニット５００が像側に移動することができ、レンズ鏡筒５０１の鏡筒長の短縮が可能となる。
【００５２】
（変形形態）
以上、説明した実施形態に限定されることなく、以下に示すような種々の変形や変更が可能であり、それらも本発明の範囲内である。
（１）第１実施形態では絞りユニットに本発明を適用した例について説明した。しかし、これに限らず、第１実施形態はシャッタユニットに適用してもよい。またシャッタと絞りとを備えるシャッタ絞りユニットに適用してもよい。
（２）第１実施形態において、撮影状態から収納状態に移動する時、確実にピンを回転させるために、移動軸２０６をＮ極着磁させても良い。この場合、回転中心付近での力ではないため、モーメントによって回転が容易になり、絞り部材２０１が重い場合有利である。
（３）第２実施形態ではシャッタユニットに本発明を適用した例について説明した。しかし、これに限らず、第２実施形態は絞りユニットに適用してもよい。またシャッタと絞りとを備えるシャッタ絞りユニットに適用してもよい。
なお、実施形態及び変形形態は、適宜組み合わせて用いることもできるが、詳細な説明は省略する。また、本発明は以上説明した実施形態によって限定されることはない。
【符号の説明】
【００５３】
１，５０１:レンズ鏡筒、１０，５１０：カメラ、２００，５００：ＶＲユニット、２０１：絞り部材、２０４:回転用マグネット、２０４ａ，７０４ａ:中心軸、３００：絞りユニット、３０５：ＶＲ用マグネット，７００：シャッタユニット、７０１ａ:シャッタ羽根、７０４：回転部材、８０５：ＶＲ用マグネット、Ｌ２：第２（ＶＲ）レンズ群、Ｌ３：第３レンズ群
【図１】
2010217314.tif 000003
【図２】
2010217314.tif 000004
【図３】
2010217314.tif 000005
【図４】
2010217314.tif 000006
【図５】
2010217314.tif 000007
【図６】
2010217314.tif 000008
【図７】
2010217314.tif 000009
【図８】
2010217314.tif 000010